(57)【特許請求の範囲】
【請求項１】
肌当接側の表面シートと非肌当接側の裏面シートとを有する体液吸収性物品を所要方向に丸めておくことが可能な止着用テープを有する使い捨ての体液吸収性物品において、
前記テープは、その長手方向において前記裏面シート外面に固着された固定端部と、該固定端部の反対端に位置する摘持用自由端部と、前記固定端部と自由端部との間に介在し前記固定端部寄りに形成された弾性伸縮部と、前記自由端部と弾性伸縮部との間に介在し前記裏面シート外面に対向する面に粘着性を有して前記外面に剥離容易に接合する粘着部とによって構成されているとともに、前記弾性伸縮部は、前記長手方向への伸長量が１００〜１５００％の範囲にあり、かつ、その伸長量に対する弾性回復率が１０〜９０％の範囲にある弾性伸縮シートで構成されており、前記テープは、非折曲状態で前記裏面シート外面に装着されており、前記固定端部と自由端部と粘着部とは、前記弾性伸縮部と対比して実質的に非伸長性のシートで構成されていることを特徴とする前記体液吸収性物品。
【請求項２】
前記テープは、前記粘着部を前記外面から剥離して、前記長手方向へ伸長すると、少なくとも前記自由端部と粘着部とを含む部分が前記体液吸収性物品周縁のいずれかの部位を越えて該周縁の外側にまで達することが可能な請求項１記載の体液吸収性物品。
【発明の詳細な説明】
【０００１】
【発明の属する技術分野】
この発明は、使い捨ておむつやトレーニングパンツ、生理用ナプキン等の使い捨ての体液吸収性物品であって、特に廃棄するときにそれを丸めておくための手段を備えた前記物品に関する。
【０００２】
【従来の技術】
従来、使い捨ての体液吸収性物品に、使用後にそれを丸めておくための止着用テープを設け、汚れた前記物品の衛生的な廃棄を可能にすることは、公知である。
【０００３】
例えば、実開昭５８−２２９０８号公報に開示の開放型の使い捨ておむつでは、裏面シートに接着テープ片の一端部を固定し、該テープ片の自由端部を腰周り部から外方向へ突出させ得るようにしてある。汚れたおむつは、裏面シートを外側にしてテープ片自由端部に向かって丸めた後、広がることがないようにその自由端部を止着しておくことができる。
【０００４】
また、実開平６−７７７２２号公報に開示されたパンツ型おむつでは、おむつの上下方向に伸びる止着用テープの一端が裏面シート外面に固着している。このテープは、長さ方向に折り重ねられていて、長く延びたときには止着用部位が胴周り縁部を越えてその外側に達するから、丸めたおむつには、その延びたテープの粘着部位を止着して前記実開昭５８−２２９０８号公報のおむつと同様に廃棄することができる。
【０００５】
【発明が解決しようとする課題】
前記実開昭５８−２２９０８号公報に開示された態様のおむつでは、接着テープ片が長くなるほど、腰周り部から外方向へ突出する自由端部の長さが長くなり、おむつ着用時の邪魔になるおそれがある。それゆえ、このおむつで長い接着テープ片を使用することは、実質的に難しい。
【０００６】
また、前記実開平６−７７７２２号公報に開示された態様のおむつの場合でも、止着用テープが長くなるほど折り重ねたテープが嵩張って目立つようになり、乳幼児のいたずらの対象になり易い。そのいたずらでテープがいったん延びてしまうと、それを再び折り重ねることは容易ではなく、母親にいらぬ仕事を強いることになる。
【０００７】
また、前記公知おむつの両方に共通した問題として、丸めたおむつを強く締めつけるように、テープを緊張状態で止着したときに、その止着をしっかりしておかないと、テープの緊張に負けて止着したテープが剥れてしまうという場合がある。
【０００８】
そこで、この発明は、比較的短いテープを使用しても、長いテープを使用したときと同様に、おむつ等の使い捨ての体液吸収性物品を容易に丸めておくことが可能であり、しかもいったん止着したテープが簡単には剥れることがないようにすることを課題にしている。
【０００９】
【課題を解決するための手段】
前記課題を解決するために、この発明が前提とするのは、肌当接側の表面シートと非肌当接側の裏面シートとを有する体液吸収性物品を所要方向に丸めておくことが可能な止着用テープを有する使い捨ての体液吸収性物品である。かかる前提において、この発明が特徴とするところは、前記テープは、その長手方向において前記裏面シート外面に固着された固定端部と、該固定端部の反対端に位置する摘持用自由端部と、前記固定端部と自由端部との間に介在し前記固定端部寄りに形成された弾性伸縮部と、前記自由端部と弾性伸縮部との間に介在し前記裏面シート外面に対向する面に粘着性を有して前記外面に剥離容易に接合する粘着部とによって構成されているとともに、前記弾性伸縮部は、前記長手方向への伸長量が１００〜１５００％の範囲にあり、かつ、その伸長量に対する弾性回復率が１０〜９０％の範囲にある弾性伸縮シートで構成されており、前記テープは、非折曲状態で前記裏面シート外面に装着されており、前記固定端部と自由端部と粘着部とは、前記弾性伸縮部と対比して実質的に非伸長性のシートで構成されていること、にある。
【００１０】
【発明の実施の形態】
添付の図面を参照し、この発明に係る使い捨ての体液吸収性物品の詳細を説明すると、以下のとおりである。
【００１１】
図１に部分破断斜視図で示されたパンツ型使い捨ておむつ１は、使い捨ての体液吸収性物品の一例である。おむつ１は肌当接側に位置する透液性表面シート２と、非肌当接側に位置する不透液性裏面シート３と、これら両シート２，３間に介在する吸液性コア４とによって構成されている。おむつ１は、前胴周り域６と、後胴周り域７と、これら両域６，７間に位置する股下域８とを有し、前後胴周り域６，７が、それらの側縁域１１，１２で合掌状に重なり合って接合し、胴周り開口部１３と、左右一対の脚周り開口部１４とを形成している。両開口部１３，１４の周縁部では、複数条の胴周り弾性部材１６と脚周り弾性部材１７とが、コア４の周縁から延長する部分の表裏面シート２，３の少なくとも一方の内面に伸長状態で接合している。後胴周り域７の周り方向の中央部には、おむつ１の上下方向に伸びる止着用テープ２１が配設されている。
【００１２】
図２は、図１のＩＩ−ＩＩ線要部端面図であって、テープ２１の構造を示す。テープ２１は、その長手方向（上下方向）において下端部材２２と、上端部材２３と、これら両部材２２，２３間に介在する中間部材２４とで構成されている。下端部材２２は、その内面の全体に第１粘着剤２６が塗布され、該粘着剤２６の第２塗布域２６Ｂで中間部材２４の下端部分２７に接合し、第１塗布域２６Ａで裏面シート３の外面に接合している。上端部材２３は、その内面の全体に第２粘着剤２８が塗布され、該粘着剤２８の第３塗布域２８Ａで中間部材２４の上端部分２９に接合し、第４塗布域２８Ｂで裏面シート３の外面に接合し、第５塗布域２８Ｃに摘持用フィルム部材３５が接合している。テープ２１のこれらの塗布域のうち、第４塗布域２８Ｂを除くその他の塗布域（第１，２，３，５塗布域２６Ａ，２６Ｂ，２８Ａ，２８Ｃ）では、それら塗布域を介して互いに向き合う各部材２２，２３，２４，３５および裏面シート３が実質的に剥離することがないように強く接合している。第４塗布域２８Ｂにおいて、テープ２１は裏面シート４に対して剥離容易な状態で接合している。その剥離容易な状態は、裏面シート３外面に離型剤を塗布することおよび／または第２粘着剤２８の粘着力を調整することによって実現することができる。
【００１３】
中間部材２４は、下端部材２２と上端部材２３との間に所要長さの弾性伸縮部分３１を有する。上端部材２３の上端部３２内面にはフィルム部材３５が接合しているから、この上端部３２を摘持することによって、テープ２１の第４塗布域２８Ｂを裏面シート３から剥離することができる。
【００１４】
かかるテープ２１を構成する下端部材２２と上端部材２３とには、実質的に非伸長性のプラスチックフィルムや不織布等のシート材料が使用される。そのシート材料の一例には、厚み０．０２〜０．３ｍｍのポリエステルフィルムがある。中間部材２４には、弾性伸縮性を有するシート材料、より好ましくは、１００〜１５００％の伸長が可能であり、かつ、その伸長量に対する弾性回復率が１０〜９０％の範囲にある伸縮性シート材料が使用される。そのシート材料の一例には、厚み０．０２〜０．３ｍｍのエラストマーフィルムがある。なお、前記弾性回復率は、幅１０ｍｍ×長さ５０ｍｍのシート片を５秒以内で所要倍率にまで伸長して１分間保持し、その後伸長する力を解いてさらに１分間放置したあとの長さに基づいて計算する。
【００１５】
図３は、丸めたおむつ１にテープ２１を止着した状態を示すおむつ１の斜視図である。汚れたおむつ１は、図示のように股下域８から胴周り開口部１３に向かって丸めるか、または、おむつ１の左右側縁部を、それらの接合部位において前後に切り開いた後、表面シート２を内側にして前胴周り域６から後胴周り域７に向かって丸める。その後、テープ２１を上端部３２で摘持して上方へ引っ張ることにより（図１の仮想線参照）、第４塗布域２８Ｂを裏面シート３から剥離して中間部材２４の伸縮部分３１を伸長し、胴周り縁部を越えたところで、裏面シート３外面に止着する。丸めたおむつ１をこの状態で放置しておくと、伸縮部分３１では当初の伸長応力が緩和される現象が生じて、第４塗布域２８Ｂを裏面シート３から剥離させようとする伸縮部分３１の収縮力が弱まる。その結果、丸めたおむつ１における第４塗布域２８Ｂは、時間の経過とともに、伸縮部分３１の収縮力の作用で裏面シート３から剥れるという可能性が低下する。
【００１６】
かかる発明において、テープ２１は、一片の弾性伸縮性テープの長手方向において粘着剤を塗り分けることによって下端部材２２、上端部材２３、中間部材２４の使用に代えることができる。ただし、このテープ２１では、摘持すべき上端部３２が伸縮性となって持ちにくいとか、おむつ１の製造工程において第１塗布域２６Ａに相当する部分を裏面シート３に固着しにくいとかいう問題が生じる。テープ２１は、下端部材２２や上端部材２３が非伸縮性であって、しかも剛性が高ければ、裏面シート３への接合が容易である。これらの部材２２，２３は、図示例のように、中間部材２４と別異のものにすることが好ましい。
【００１７】
おむつ１において、テープ２１を配設すべき部位は、自由に選ぶことができる。おむつ１の丸め方を想定し、それに対応し得るようにテープ２１の配設部位、テープ２１の全長、伸縮部分３１の長さ、伸縮部分３１の伸長量の上限および／または下限を定めればよい。ただし、テープ２１は、おむつ１の周縁を所要部位において越え、その周縁の外側にまで延び得るように構成されることが望ましい。
【００１８】
また、テープ２１は、おむつ１の他に、トレーニングパンツや失禁者用パンツ、生理用ナプキン、包帯等の使い捨て体液吸収性物品に広く使用することができる。
【００１９】
【発明の効果】
この発明に係る使い捨ての体液吸収性物品においては、該物品を丸めておくための止着用テープが伸縮性を有するから、着用時の妨げとなることがないようにこのテープを短くすることができる。この止着用テープは、伸長した後にテープの収縮力が次第に小さくなるから、伸長して止着したテープが前記物品から簡単に剥れるということがない。
【図面の簡単な説明】
【図１】パンツ型おむつの部分破断斜視図。
【図２】図１のＩＩ−ＩＩ線要部端面図。
【図３】丸めたおむつの斜視図。
【符号の説明】
１      使い捨ておむつ（体液吸収性物品）
２      表面シート
３      裏面シート
２１    テープ
２６Ａ  第１塗布域（固定端部）
２８Ｂ  第４塗布域（粘着部）
３１    弾性伸縮部
３２    上端部（自由端部）
【図１】
0003566461.tif 000002
【図２】
0003566461.tif 000003
【図３】
0003566461.tif 000004